(57)【要約】【課題】構造が簡略化できる、照光機能と防滴機能を併せ持った操作装置を提供すること。【解決手段】発光素子５３を取り付ける回路基板５０と、回路基板５０上に取り付けられる回転式電子部品１００と、回路基板５０と回転式電子部品１００を収納するケース１０，３０と、ケース１０，３０の前面Ｍ１を覆うように取り付けられるカバー２１０とを有する。ケース１０，３０とカバー２１０の間に、カバー２１０側から浸入する液体がケース１０，３０の前面Ｍ１に至るのを防滴する導光体本体１７１を有する導光体１７０を設置する。導光体本体１７１の一方の面からカバー２１０の光表示部２１３を照光する照光部１７３を突出させ、他方の面から上下ケース１０，３０内に挿入されて発光素子５３の光を導入する光導入部１７５を突出させる。【選択図】図４
2016078468.tif 000002
【特許請求の範囲】
【請求項１】
発光素子を取り付ける取付面を有する回路基板と、
電子部品本体から操作用のシャフトを突出して構成され、前記シャフトの突出方向が前記取付面に沿うように前記回路基板上に取り付けられる電子部品と、
前記回路基板と前記電子部品を収納し、その際前記電子部品のシャフトを外方に突出させるケースと、
前記シャフトを突出させた前記ケースの前面を覆うように取り付けられ、前記シャフトを挿通する挿通孔を有するカバーと、を有し、
前記ケースと前記カバーの間に、前記カバーの挿通孔から浸入する液体が前記ケースの前面に至るのを防滴する導光体を設置し、
この導光体の一部に前記カバーの外表面の所望部分を照光する照光部を設けると共に、他の一部に前記ケース内に挿入されて前記発光素子の光を導入する光導入部を設けたことを特徴とする操作装置。
【請求項２】
請求項１に記載の操作装置であって、
前記導光体と前記カバーの間であって前記カバーの挿通孔の周囲を囲む位置にシール材を挟持させる構造とすることによって、前記カバーの挿通孔から浸入する液体が前記ケースの前面に至るのを防滴することを特徴とする操作装置。
【請求項３】
請求項１に記載の操作装置であって、
前記導光体は、前記電子部品のシャフトを貫通するシャフト貫通部を有すると共に、前記ケースの前面を覆う形状の導光体本体と、
前記導光体本体の一方の面から突出する前記照光部と、
前記導光体本体の他方の面から突出する前記光導入部と、
を具備することを特徴とする操作装置。
【発明の詳細な説明】
【技術分野】
【０００１】
本発明は、照光機能と防滴機能を併せ持つ操作装置に関するものである。
【背景技術】
【０００２】
従来、例えば車両の座席を加熱する車載用シ−トヒータが利用されている。この種の車載用シートヒータは、これを操作するためのシートヒータ操作装置が、例えば運転席と助手席の間に設置される。
【０００３】
この種のシートヒータ操作装置は、カバー等から突出する一対のつまみ（運転席用と助手席用）を回転操作することで、シートヒータのオンオフと温度調整とを行う。そしてケース内には、前記つまみを取り付けたシャフトを有する一対の回転式電子部品を載置した主基板が設置され、また夜間照明等のためにＬＥＤ等の発光素子を取り付けた別の基板が設置され、さらにつまみの周囲の隙間から浸入する水を防滴するための防滴用ラバー板が設置されていた。
【先行技術文献】
【特許文献】
【０００４】
【特許文献１】特開２０１３−１８２７３６号公報
【発明の概要】
【発明が解決しようとする課題】
【０００５】
しかしながら上記従来のシートヒータ操作装置は、主基板の他に、発光素子を設置するための基板や、防滴用ラバー板が必要なばかりでなく、基板間を接続するためのケーブル等も必要なため、部品点数が多く、構造が複雑となって装置が大型化するばかりか、コストの低減化も図れないという問題があった。
【０００６】
本発明は上述の点に鑑みてなされたものでありその目的は、部品点数が少なく、構造が簡略で小型化でき、またコストの低減化を図ることもできる、照光機能と防滴機能を併せ持った操作装置を提供することにある。
【課題を解決するための手段】
【０００７】
本発明にかかる操作装置は、発光素子を取り付ける取付面を有する回路基板と、電子部品本体から操作用のシャフトを突出して構成され前記シャフトの突出方向が前記取付面に沿うように前記回路基板上に取り付けられる電子部品と、前記回路基板と前記電子部品を収納しその際前記電子部品のシャフトを外方に突出させるケースと、前記シャフトを突出させた前記ケースの前面を覆うように取り付けられ前記シャフトを挿通する挿通孔を有するカバーと、を有し、前記ケースと前記カバーの間に、前記カバーの挿通孔から浸入する液体が前記ケースの前面に至るのを防滴する導光体を設置し、この導光体の一部に前記カバーの外表面の所望部分を照光する照光部を設けると共に、他の一部に前記ケース内に挿入されて前記発光素子の光を導入する光導入部を設けたことを特徴としている。
本発明によれば、導光体に防滴機能を兼用させ、同時に導光体に照光部と光導入部を設けることでシャフト付きの電子部品と発光素子とを同一の回路基板上に取り付けることを可能としたので、回路基板を複数枚設置する必要がなくなり、同時に、防滴用の部品を別途取り付ける必要もなくなる。これによって、照光機能と防滴機能を併せ持った操作装置において、その部品点数の削減と装置構造の簡略化及びコストの低減化と装置の小型化を図ることができる。
【０００８】
また本発明は、前記導光体と前記カバーの間であって前記カバーの挿通孔の周囲を囲む位置にシール材を挟持させる構造とすることによって、前記カバーの挿通孔から浸入する液体が前記ケースの前面に至るのを防滴することが好ましい。
これにより、より効果的に、カバーの挿通孔から浸入する液体のケース内への浸入を防滴することができる。
【０００９】
また本発明は、前記導光体が、前記電子部品のシャフトを貫通するシャフト貫通部を有すると共に前記ケースの前面を覆う形状の導光体本体と、前記導光体本体の一方の面から突出する前記照光部と、前記導光体本体の他方の面から突出する前記光導入部と、を具備していることが好ましい。
導光体本体によってケースの前面側に液体が浸入するのを防止でき、同時に照光部と光導入部によって回路基板上の発光素子の光をカバーの外表面側に導くことができる。
【発明の効果】
【００１０】
本発明によれば、照光機能と防滴機能とを併せ持つ操作装置において、部品点数の削減と、構造の簡略化と、コストの低減化と、装置の小型化とを図ることができる。
【図面の簡単な説明】
【００１１】
【図１】車載用のシートヒータ操作装置１の一例を示す斜視図である。
【図２】車載用のシートヒータ操作装置１の分解斜視図である。
【図３】装置本体１５０の分解斜視図である。
【図４】車載用のシートヒータ操作装置１のＡ−Ａ概略断面図である。
【図５】車載用のシートヒータ操作装置１のＢ−Ｂ概略断面図である。
【図６】導光体１７０の斜視図である。
【図７】導光体１７０の斜視図である。
【図８】カバー２１０を後面側から見た斜視図である。
【発明を実施するための形態】
【００１２】
以下、本発明の実施形態を図面を参照して詳細に説明する。図１は本発明の１実施形態にかかる車載用のシートヒータ操作装置１の一例を示す斜視図、図２はその分解斜視図、図３はシートヒータ操作装置１中の装置本体１５０の分解斜視図、図４は図１に示すＡ−Ａ概略断面図（ケース中央部分での概略断面図）、図５は図１に示すＢ−Ｂ概略断面図（電子部品１００中央での概略断面図）である。これらの図に示すように、シートヒータ操作装置１は、上下ケース１０，３０の内部に回路基板５０と一対の電子部品１００を収納してなる装置本体１５０と、装置本体１５０の前面Ｍ１を覆うように設置される導光体１７０と、シール材１９０を介して導光体１７０と装置本体部１５０の前面Ｍ１を覆うように設置されるカバー２１０とを具備して構成されている。装置本体１５０とカバー２１０との間には、さらに一対の導光部材２５０が設置されている。なお以下の説明において、「上」とは回路基板５０の電子部品（以下「回転式電子部品」という）１００を取り付けた面（取付面５１）側をいい、「下」とはその反対側をいうものとする。また「前」又は「前面」とはシートヒータ操作装置１から下記するつまみ１０５を突出している面側をいい、「後」又は「後面」とはその反対面側をいうものとする。
【００１３】
装置本体１５０は、図３に示すように、上下ケース１０，３０内に回路基板５０と一対の回転式電子部品１００を収納して構成されている。なお上下ケース１０，３０を一体化したものをケースということとする。
【００１４】
上ケース１０は合成樹脂製であり、下面が解放された矩形の箱型に形成され、その前面Ｍ１には、一対の回転式電子部品１００のシャフト１０３を貫通する円形の一対のシャフト貫通部１１が形成されている。前面Ｍ１の下辺中央には凹状の光導入部挿入部が１３が形成され、また前面Ｍ１の周囲を薄壁状（ベルト状）に囲むように、導光体取付部１５が形成されている。また上ケース１０の左右両外側面には、それぞれ下記するカバー２１０の被係止部２２３を係止する略くさび形状の一対の係止部１７（図３では手前側のみ示す）が形成されている。また係止部１７の後方にはそれぞれ下記する下ケース３０の係止部３３を係止する貫通孔からなる被係止部１９（図３では手前側のみ示す）が形成されている。
【００１５】
下ケース３０は合成樹脂製であり、略平板矩形状に形成され、その外周辺近傍には、上方向に向かって突出する複数本のガイド突起３１と、前記上ケース１０の一対の被係止部１９に係止される係止部３３を先端に有してなる２本の係止アーム部３５とを設けている。
【００１６】
回路基板５０は、硬質基板上に図示しない回路パターンを形成して構成されており、その上面を取付面５１としている。取付面５１にはチップ型の電子部品（抵抗器等）が取り付けられると共に、一対の回転式電子部品１００が取り付けられ、さらにその後方にコネクタ５２が取り付けられている。一対の回転式電子部品１００の間の取付面５１上には、一対のチップ型の発光素子５３（図３において手前側の発光素子５３は手前側の回転式電子部品１００に隠れている。）が取り付けられている。また回路基板５０の前面側の外周辺の左右両端からは、発光素子用突部５５が前方に向かって突出しており、各発光素子用突部５５の上面にはインジケータ用発光素子５７が設置されている。
【００１７】
回転式電子部品１００は、機能部品を収納した電子部品本体１０１から操作用のシャフト１０３を突出し、さらにシャフト１０３の先端につまみ１０５を取り付けて構成されている。そしてこの回転式電子部品１００は、つまみ１０５を回転すると、これと共にシャフト１０３が回転することで、内部の機能部品が駆動され、その出力の状態が変化する。この例の回転式電子部品１００は回転式可変抵抗器なので、シャフト１０３の右方向への回転によって、抵抗値が変化していく。またこの例の回転式電子部品１００はプッシュロック機能付きなので、つまみ１０５を押圧してシャフト１０３を電子部品本体１０１内に押し込んだ状態でロックでき、再びつまみ１０５を押圧してシャフト１０３を押し込むことで前記ロックが解除されて元の位置に自動復帰する構造となっている。
【００１８】
そして回転式電子部品１００は、シャフト１０３の突出方向が回路基板５０の取付面５１に沿うように、且つシャフト１０３の突出方向が前面方向を向くように、その電子部品本体１０１が回路基板５０上に取り付けられている。両回転式電子部品１００のシャフト１０３は平行に設置されている。
【００１９】
図６は導光体１７０を前方側の別の角度から見た斜視図、図７は導光体１７０を後方側から見た斜視図である。これらの図及び図２に示すように、導光体１７０は、透光性の材料を成形することで形成され、略平板状の導光体本体１７１と、導光体本体１７１の一方の面（前面）から突出する照光部１７３と、導光体本体１７１の他方の面（後面）から突出する光導入部１７５とを具備して構成されている。
【００２０】
導光体本体１７１は、上ケース１０の前面Ｍ１を覆う形状に形成され、外周には後方に向けて突出する側壁部１７２が設けられている。側壁部１７２はその内側に、前記上ケース１０に設けた導光体取付部１５の外周をガイドしながら挿入できる寸法形状に形成されている。導光体本体１７１には、前記回転式電子部品１００のシャフト１０３を貫通するシャフト貫通部１７７が左右に一対形成されている。これらシャフト貫通部１７７は、前記上ケース１０のシャフト貫通部１１に対向する位置に設けられている。また導光体本体１７１の前面の前記両シャフト貫通部１７７の間の位置（中央位置）には、所定の面積にわたって厚みを増すように突出する光導光前面部１７９が設けられている。光導光前面部１７９は、その左右両側が照光部１７３の側面に接続されている。また光導光前面部１７９の上辺中央は、Ｖ字状の凹部とすることで、凹部内の左右の面を光反射面（左右光反射面）ａ３とし、また光導光前面部１７９の下辺の前面側の水平な辺は、これを辺方向（水平方向）に向かう傾斜面からなる光反射面（上方光反射面）ａ２としている。さらに導光体本体１７１の前面側の外周辺近傍の所定位置（上辺の両端近傍位置と下辺の中央位置の３か所）には、小突起状のシール材位置決め部１８１が形成されている。また導光体本体１７１の左右両側の下部は、前記回路基板５０の発光素子用突部５５を挿通する切欠き状の凹部１８３となっている。
【００２１】
照光部１７３は略半円筒状であり、前記導光体本体１７１のシャフト貫通部１７７の上部から突出して構成されている。照光部１７３の先端面は光照射面１８５となっている。
【００２２】
光導入部１７５は略平板矩形状であって導光体本体１７１の後面から水平に突出するように設置されている。光導入部１７５の先端の上辺は、これを辺方向（水平方向）に向かう傾斜面からなる光反射面（前方光反射面）ａ１としている。
【００２３】
図２に戻って、シール材１９０は、前記導光体本体１７１の前面の外周部分を囲む形状のリング状に形成された薄板細帯状のシール材であり、前記導光体本体１７１の各シール材位置決め部１８１に対向する位置にシール材位置決め部１８１を挿入する小孔からなる係止部１９１を設けて構成されている。シール材１９０の材質は、例えばシリコンゴム等が用いられる。
【００２４】
図８はカバー２１０を後側から見た斜視図である。同図及び図２等に示すように、カバー２１０は合成樹脂の成形品であり、後面側が解放された矩形箱型に形成され、その後面側に形成される凹部は、装置本体１５０の前面を覆う（挿入する）寸法形状の本体挿入部２１１となっている。このカバー２１０は、透明な合成樹脂成形品の外面全体に不透光性の塗料を塗布することで光を透さないようにし、同時に前記導光体１７０の光照射面１８５に対向する部分に、前記塗料を塗布しないことで光を通す円弧状の光表示部２１３を形成している。なお、カバー２１０の材質として不透光性の合成樹脂を用い、前記光表示部２１３を貫通口として光を通すように構成する等しても良い。
【００２５】
カバー２１０の前面には、前記一対のつまみ１０５とシャフト１０３を挿通する一対の挿通孔２１５が設けられ、また挿通孔２１５の後面側（本体挿入部２１１内）には、これを囲むように、筒状に突出する突出部２１７が形成されている。またカバー２１０の前面の左右両端近傍の下部には、下記する導光部材２５０の表示部２５１を挿入する貫通孔からなる矩形状の一対の挿入部２１９が形成されている。カバー２１０の上面と下面には、貫通孔からなる矩形状の水抜き孔２２１が一対ずつ形成されている。各水抜き孔２２１は前記各突出部２１７の先端近傍に設置されている。カバー２１０の左右両側面の後端部には、矩形状の開口からなる被係止部２２３が形成されている。またカバー２１０の本体挿入部２１１内の前記両突出部２１７の左右両外側には、前記挿入部２１９の後面側の周囲を覆う遮光部２２５が形成されている。遮光部２２５は、本体挿入部２１１内において、挿入部２１９の後面側の空間と、それ以外の空間との間で相互に光が漏れないように形成されている。さらにカバー２１０の本体挿入部２１１の内周側壁には、この内周側壁を全周にわたって囲むように、シール材当接部２２７が設けられている。シール材当接部２２７は、本体挿入部２１１の内周側壁の後方側の面よりも前方側の面を内側に高くすることで設けられた段部の面で形成されている。
【００２６】
図２に戻って、導光部材２５０は透明な合成樹脂の成形品であり、略棒状（略四角柱状）であって、中間の２箇所で逆方向に９０度ずつ屈曲する形状に形成されている。前側の先端面には、前記カバー２１０の挿入部２１９に挿入される表示部２５１が設けられ、また後端の下面部分は光入射部２５３となっている。後端の光入射部２５３を設けたその上面と、屈曲する２箇所の角部には、それぞれ光の入射方向に対して斜めに傾斜する反射面ｂ１，ｂ２，ｂ３を設けている。
【００２７】
次にシートヒータ操作装置１の組み立て方法の一例を説明する。まず図３において、発光素子５３や回転式電子部品１００（但しつまみ１０５は装着していない状態のもの）等を取り付けた回路基板５０を、上ケース１０の下面側からその内部に収納する。その際各回転式電子部品１００のシャフト１０３を上ケース１０のシャフト貫通部１１に挿入する。そして、図３，図５に示すボルト５９を、回路基板５０の下面側から挿入してその上面側に突出させ、そのネジの部分を、上ケース１０の上面から垂下した柱状のネジ取付部２１中央の穴に螺合することで、両者を一体化する。また、上ケース１０から前方に突出する回転式電子部品１００の電子部品本体１０１先端のネジ部１０７に、ナット２３を螺合して固定する。
【００２８】
次に、前記回路基板５０の下面側に下ケース３０を設置し、その際、下ケース３０の係止アーム部３５の係止部３３を、上ケース１０の被係止部１９にその内側から係止し、これによって上下ケース１０，３０間を固定する。これによって図２に示す装置本体１５０が完成する。このとき同図に示すように、回路基板５０の一対の発光素子用突部５５が上下ケース１０，３０の前面Ｍ１から前方に突出する。
【００２９】
次に、前記上下ケース１０，３０の前面Ｍに導光体１７０を設置する。このとき導光体１７０の各シャフト貫通部１７７にシャフト１０３を挿入し、また前記上ケース１０の導光体取付部１５の外周に導光体本体１７１の側壁部１７２を挿入する。またこのとき、導光体１７０の光導入部１７５は、上ケース１０の光導入部挿入部１３からケース内部に挿入され、図４に示すように、その先端部分の下面が、前記発光素子５３に対向する。また回路基板５０の発光素子用突部５５は、導光体１７０の凹部１８３を通して前方に突出する。
【００３０】
次に、導光体１７０から突出する各シャフト１０３の先端につまみ１０５を取り付ける。次に、シール部材１９０を、導光体１７０の前面の外周を囲むように設置し、その際、導光体１７０の各シール材位置決め部１８１をシール材１９０の各係止部１９１に挿入して位置決め・仮止めする。
【００３１】
次に、カバー２１０の各挿入部２１９に、前記導光部材２５０の表示部２５１を挿入して固定したものを、前記導光体１７０の前面側から被せるように挿入し、カバー２１０の各被係止部２２３に上ケース１０の各係止部１７を係止する。これによってシートヒータ操作装置１の組み立てが完了する。なお上記組立手順はその一例であり、他の各種異なる組立手順を用いて組み立てても良いことはいうまでもない。
【００３２】
組み立てられたシートヒータ操作装置１においては、カバー２１０のシール材当接部２２７にシール材１９０が当接し、シール材１９０は導光体本体１７１とシール材当接部２２７によって挟持される。また導光体１７０の光照射面１８５は、カバー２１０の光表示部２１３の裏面側に接近して位置する。またインジケータ用発光素子５７の上部に接近して各導光部材２５０の光入射部２５３が位置する。また導光部材２５０はカバー２１０の遮光部２２５内に収納される。
【００３３】
以上のように構成されたシートヒータ操作装置１は車載用であり、車内に設置された際、カバー２１０の前面部分（つまみ１０５が露出する面）のみが車内側に露出する。
【００３４】
そして、図１に示す状態において、何れかのつまみ１０５を回転すると、シャフト１０３が回転し、電子部品本体１０１内の機構部が動作して、抵抗値が変化していく。図示しない別のスイッチをオンすると、インジケータ用発光素子５７が点灯し、その光は図２に示す光入射部２５３から導光部材２５０内に垂直に入射し、反射面ｂ１，ｂ２，ｂ３で反射されることで表示部２５１に導かれ、カバー２１０の前面に露出している表示部２５１を明るく表示することができる。このとき、カバー２１０内には遮光部２２５が設けられているので、前記導光部材２５０内から漏れた光がカバー２１０の光表示部２１３を照らすことはない。
【００３５】
一方、車両の夜間照明を行うと、回路基板５０に取り付けた一対の発光素子５３が発光し、その光の多くは真上に向かい、導光体１７０の光導入部１７５の先端近傍の下面から光導入部１７５内に垂直に入射し、前方反射面ａ１で反射されて光導入部１７５内を前方に向かい、次に光導光前面部１７９の上方光反射面ａ２で反射されて光導光前面部１７９内を上方に向かい、次に左右光反射面ａ３で反射されて光導光前面部１７９内から照光部１７３内に導入され、さらにこの光は、照光部１７３内をその先端まで導かれ、光照射面１８５からカバー２１０の光表示部２１３の裏面側を照明し、これによって円弧状の光表示部２１３を明るく照明することができる。
【００３６】
ここで例えば車内において、コップに入れた飲料水等をこぼし、その液体がカバー２１０の挿通孔２１５とつまみ１０５（シャフト１０３）の間から装置内部に浸入した場合、図５に矢印で示すように、その多くはカバー２１０の突出部２１７内の底面上を後方に向かって流れ、その先端からその真下に位置する水抜き孔２２１に向かい、その多くはこの水抜き孔２２１から外部に放出される。浸入する水の量が多い場合は、水抜き孔２２１を越えて、導光体１７０の導光体本体１７１に至るが、この部分は、導光体１７０とカバー２１０の間に挟持されたシール材１９０によってシールされているので、この液体が上下ケース１０，３０の前面Ｍ１側に浸入することは防止される。なお、導光体１７０のシャフト貫通部１７７とシャフト１０３の間には隙間があるが、上述のように、挿通孔２１５内に浸入した液体の多くはカバー２１０の突出部２１７内においてその底面に集められ、その底面上を後方に向かって流れるので、それよりも上方の宙に浮いた位置（挿通孔２１５の中央位置）にある前記隙間から液体が浸入することは通常ない。またこのシートヒータ操作装置１の場合、カバー２１０の上下面に水抜き孔２２１を設けているので、風通しが良く、カバー２１０と導光体１７０の間の内面に付着した液体の乾燥を効果的に行うこともできる。
【００３７】
即ちこのシートヒータ操作装置１の場合、カバー２１０の挿通孔２１５の周囲全体を囲む部分をシール材１９０によってシールしているので、導光体１７０のシャフト貫通部１７７とシャフト１０３の間の隙間以外の部分から上下ケース１０，３０の前面Ｍ１側に液体が浸入することはない。なお、より完全な防水を行いたい場合は、図示はしていないが、シャフト貫通部１７７とシャフト１０３間の隙間を塞ぐシール部材を別途装着したり、またはその隙間に対して他の防水手段を設ければよい。
【００３８】
以上説明したように、上記シートヒータ操作装置１は、導光体１７０に導光機能と防滴機能を兼用させると同時に、導光体１７０に照光部１７３と光導入部１７５を設けることでシャフト付きの回転式電子部品１００と発光素子５３とを同一の回路基板５０上に取り付けることを可能としたので、回路基板５０を複数枚設置する必要がなくなり、同時に、防滴用の部品を別途取り付ける必要もなくなる。これによって、照光機能と防滴機能を併せ持ったシートヒータ操作装置１において、その部品点数の削減と装置構造の簡略化及びコストの低減化と装置の小型化を図ることができる。
【００３９】
またシール材１９０を用いることで、より効果的に、カバー２１０の挿通孔２１５から浸入する液体の上下ケース１０，３０内への浸入を防滴することができる。また導光体１７０に設けた板状の導光体本体１７１によって上下ケース１０，３０の前面Ｍ１側に液体が浸入するのを防止しているが、この導光体本体１７１を利用して、その前面側に設けた厚みを厚くしただけの光導光前面部１７９を設けるだけで、光導入部１７５からの光を、容易に、水平方向で高さの異なる照光部１７３に導くことができる。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記導光体１７０では、その導光体本体１７１の形状を略平板矩形状に形成したが、その形状、構造は種々の変更が可能であり、要はカバー２１０の挿通孔２１５から浸入する液体が上下ケース１０，３０の前面に至るのを防滴する形状・構造であれば、どのような形状・構造であっても良い。また照光部１７３と光導入部１７５の形状や、導光体本体１７１からの突出方向に種々の変更が可能であることも言うまでもない。また上記シール材１９０は、カバー２１０の挿通孔２１５の全周囲を囲むように形成したが、全周囲ではなく、必要とされる一部の部分のみに設置しても良い。さらに例えば導光体１７０とカバー２１０とを直接密着させる等の他の方法で防滴が図れるような場合は、シール材１９０は省略しても良い。
【００４１】
また上記シートヒータ操作装置１においては、回転式電子部品１００として回転式可変抵抗器を用いたが、回転式スイッチ等の他の各種回転式電子部品を用いても良い。さらに本発明は、シャフトが回転しないで押圧方向に移動するだけのプッシュスイッチ等であっても良い。要はシャフトを有し、シャフトの操作によってその出力信号を変化させる電子部品であれば、どのような機能の電子部品であっても良い。さらに上記実施形態では本発明にかかる操作装置としてシートヒータ操作装置１を例に説明したが、本発明はシートヒータ操作装置に限られず、他の各種操作装置にも同様に適用できる。
【符号の説明】
【００４２】
１  シートヒータ操作装置（操作装置）
１０  上ケース（ケース）
Ｍ１  前面
３０  下ケース（ケース）
１１  シャフト貫通部
５０  回路基板
５１  取付面
５３  発光素子
１００  回転式電子部品（電子部品）
１０１  電子部品本体
１０３  シャフト
１０５  つまみ
１５０  装置本体
１７０  導光体
１７１  導光体本体
１７３  照光部
１７５  光導入部
１７７  シャフト貫通部
１９０  シール材
２１０  カバー
２１５  挿通孔
２５０  導光部材
【図１】
2016078468.tif 000003
【図２】
2016078468.tif 000004
【図３】
2016078468.tif 000005
【図４】
2016078468.tif 000006
【図５】
2016078468.tif 000007
【図６】
2016078468.tif 000008
【図７】
2016078468.tif 000009
【図８】
2016078468.tif 000010